(57)【要約】【課題】光漏れを防止することが可能な発光パネルおよび照明器具を提供する。【解決手段】発光素子１１を配設した略平板状の基体１１ａと；発光素子の光を反射させる反射面１１ｈを有すると共に、反射面の裏面の少なくとも１箇所の角部１１ｇ１に支持片１１ｇ３を形成した略平板状の複数の反射体１１ｃを有し、複数の反射体は互いの支持片が対向配置されるとともに各支持片が設けられた角部から伸びる側辺１１ｇ２が近接して対向配置されるように前記基体に略平板状をなして配設される反射部Ｒと；前記支持片同士を固定し、複数の反射体を位置決めする固定手段１１ｇ４と；を具備する発光パネル１０を構成する。【選択図】        図１
2010157403.tif 000002
【特許請求の範囲】
【請求項１】
発光素子を配設した略平板状の基体と；
発光素子の光を反射させる反射面を有すると共に、反射面の裏面の少なくとも１箇所の角部に支持片を形成した略平板状の複数の反射体を有し、複数の反射体は互いの支持片が対向配置されるとともに各支持片が設けられた角部から伸びる側辺が近接して対向配置されるように前記基体に略平板状をなして配設される反射部と；
前記支持片同士を固定し、複数の反射体を位置決めする固定手段と；
を具備したことを特徴とする発光パネル。
【請求項２】
前記複数の反射体は、支持片が反射部の側辺よりも内側に設けられ、それぞれが同形状に形成されていることを特徴とする請求項１記載の発光パネル。
【請求項３】
請求項１または２記載の発光パネルと；
発光パネルを配設した器具本体と；
発光パネルを点灯する点灯装置と；
を具備していることを特徴とする照明器具。
【発明の詳細な説明】
【技術分野】
【０００１】
本発明は、発光ダイオード等の発光素子を光源とした発光パネルおよび照明器具に関する。
【背景技術】
【０００２】
近年、発光ダイオードは、その発光効率の向上により、オフィスや一般照明用などの比較的大きな照明器具の光源として採用され商品化されてきている。例えば、特許文献１には、発光ダイオードを設けた正方形のＬＥＤ照明パネルを用い、天井面に市松模様に配置させた照明装置が示されている。また、特許文献２には、天井面に埋め込んで取付けられる本体部と、本体部の下面開口の一側縁に軸により支持され本体部に対して開閉可能にされ、多数の白色発光ダイオードを有するパネル状の光源部とを備えた照明器具が示されている。さらに、特許文献３には、発光ダイオードを光源とした表示ユニットがアーケードの天井面に多数敷き詰め状に配設された表示装置が示されている。
【特許文献１】特開２００８−２５７９０３号公報
【特許文献２】特開２００２−１１７７０５号公報
【特許文献３】特開２００１−５４０９号公報
【発明の開示】
【発明が解決しようとする課題】
【０００３】
一方、この種、照明器具において、光源に発光ダイオードを採用することにより本体を薄いパネル状に構成し軽量化を図っているが、同時に、複数枚のパネルを配設して大きな発光パネルを構成する場合に、隣接するパネル間に隙間が生じて光源の光が漏れる問題が発生する。また、外観上も好ましくなく、如何にして光漏れを防止するかが課題となっている。
【０００４】
しかし、この種の照明器具における発光パネルの配設は、例えば、特許文献３に示される発光ダイオードを用いた表示装置において、段落番号［００２１］に「そして、表示ユニットが多数、例えば、アーケードの天井面等に敷き詰め状に配設される。表示ユニットの配設には支持線材が用いられる。」さらに段落番号［００２２］には「支持線材が格子状に張設され、格子の大きさは上記表示ユニットが丁度納まる大きさに形成される。・・・」と記載され、パネル状の表示ユニットは、個々に支持線材に固定されており、表示ユニット同士は固定されていない。このため、表示ユニット同士の間に隙間が生じ易く、光漏れを確実に防ぐことができない。このため、パネルを複数使用して大きな発光パネルを構成する際の光漏れ対策が要求されている。
【０００５】
本発明は、上記の課題を解決するためになされたもので、光漏れを防止することが可能な発光パネルおよび照明器具を提供しようとするものである。
【課題を解決するための手段】
【０００６】
請求項１に記載の発光パネルの発明は、発光素子を配設した略平板状の基体と；発光素子の光を反射させる反射面を有すると共に、反射面の裏面の少なくとも１箇所の角部に支持片を形成した略平板状の複数の反射体を有し、複数の反射体は互いの支持片が対向配置されるとともに各支持片が設けられた角部から伸びる側辺が近接して対向配置されるように前記基体に略平板状をなして配設される反射部と；前記支持片同士を固定し、複数の反射体を位置決めする固定手段と；を具備したことを特徴とする。本発明によれば、反射体を複数使用する際の光漏れを防止することが可能な発光パネルを構成することができる。
【０００７】
本発明において、発光パネルは、天井から全般照明を行う一般家庭やオフィス等、施設・業務用などの比較的大きな照明器具に使用されることが好適であるが、小型の照明器具に使用されてもよい。発光素子は、発光ダイオード、有機ＥＬや半導体レーザなど、半導体を発光源とした発光素子が好適であるが、ここでは、略平板状の基体に配設して発光部を構成できるものであれば、小型のハロゲンランプ等の白熱電球や冷陰極形の小型の蛍光ランプ等であってもよい。
【０００８】
発光素子は、照明の用途に応じて必要な個数は選択され、例えば、１６個程度の素子群を構成し、この群１個で発光パネルを構成してもよく、さらに、この発光素子１６個が群をなす発光パネルを複数枚、例えば４枚を用いて、より大きな発光パネルを構成するようにしてもよい。また、発光素子は１個で構成されるものであってもよい。発光素子は、白色で発光するように構成することが好ましいが、照明器具の用途に応じ、赤色、青色、緑色等でも、さらには各種の色を組み合わせて構成してもよい。
【０００９】
基体は、上述した発光素子、若しくは発光素子群を配設するためもので、その形状は正方形または長方形等の矩形状、若しくは矩形状の長尺なライン状をなす発光部を構成することが好ましいが、ここでは、六角形、八角形など多角形状、さらには円形や楕円形状等の発光部を構成するものであってもよく、目的とする配光特性を得るための全ての形状が許容される。
【００１０】
基体は、鋼板、アルミニウム、銅板等の熱伝導性の良好な金属または合成樹脂で構成される基板と、発光素子を配設するための回路基板で構成されることが許容される。回路基板は、アルミニウムや銅等の金属、または、例えば、ガラスエポキシ材、紙フェノール材、ガラスコンポジット等、非金属性の部材で構成されることが許容される。また、コスト的に有利であれば、セラミックスで構成されたものであってもよい。さらには、回路基板のみで基体を構成するものであってもよい。回路基板には配線パターンが形成され、この配線パターンに、例えば、発光ダイオードチップが実装して配設されることが好ましいが、回路基板の構成および実装等をするための手段は特定のものに限定されない。
【００１１】
反射体は、所望の配光が得られるように光学設計されたもので、反射体の形状は、発光素子の中心を軸とした回転対称となる配光を得るために、発光素子の周囲を覆う傾斜した反射面を形成ように、例えば、外観がピラミッド形をなし横断面が矩形状の「すり鉢状」の凹部をなしたものが好ましいが、横断面が円形をなす「すり鉢状」の凹部をなしたものであってもよく、特定された形状のものには限定されない。
【００１２】
反射体は、発光素子の個数に応じ各発光素子個々、若しくは発光素子群個々に対応して設けるようにしてもよい。個々若しくは群個々に設けられた複数個の反射体は、全て同一の配光特性が得られるように構成しても、個々に異なる配光特性を有するものを組み合わせるようにしてもよい。また、１個または複数個の発光素子、若しくは発光素子群に対して１個の共通の反射体を設けるものであってもよい。反射体は、基板に重合するようにして配設されユニット化されて発光パネルを構成することが許容されるが、反射体は、発光素子や基体と共にモジュール化されることにより、基体に重合するように配設されて発光パネルを構成するものであってもよい。
【００１３】
反射体は、例えば、４枚の反射体が略平板状をなして配設されて反射部を構成する場合、隣接する反射体の支持片が、それぞれ対向配置するように角部を位置させ、４本の支持片がなす形状が円筒状となるように、個々の支持片は１／４形状の円柱をなしていることが好ましいが、円柱ではなく４角柱などの多角形状をなす角柱等であってもよい。また、個々の４本の支持片は、接した場合にきれいな円筒体を形成する必要はなく、各支持片の間に隙間が形成された変形した円筒体を形成するものであってもよく、要は、４枚の反射体との接合面に隙間が生じないように支持片を対向配置できる全ての形状の支持片が許容される。支持片は、反射体に一体に形成されることが好ましいが、別個に構成され角部に取付けられるものであってもよい。
【００１４】
反射体の材質は、光の反射性能を考慮して、耐候性、耐熱性および電気絶縁性を有する合成樹脂、例えば、ＰＢＴ（ポリブチレンテレフタレート）や、アクリルやＡＢＳ等の合成樹脂で一体に形成してもよい。また、その表面を白色に塗装しても、アルミニウムや銀等の金属を蒸着若しくはメッキなどを施して鏡面または半鏡面に加工したものであってもよい。さらに、アルミニウムや銅等の金属で構成し、上記の合成樹脂と同様に白色塗装や蒸着若しくはメッキ等を行ってもよい。
【００１５】
固定手段は、接する複数の支持片を束ねることにより隣接する反射体同士を固定し、複数の反射体を位置決めするための手段で、例えば、金属または合成樹脂からなる環状の固定リングを支持片に嵌め込んで固定することが好ましいが、Ｕ字形をなすバネ部材であってもよい。または、針金または紐で縛ることにより固定してもよい。これら固定手段は、着脱が可能になるように固定してもよい。さらに、支持片同士を接着剤で固着して固定する手段であってもよい。さらには、上述した各固定手段を組み合わせて固定するようにしてもよい。また、反射体同士の間の隙間は、完全に隙間なく形成されることが好ましいが、光漏れおよび外観上の問題が実用上許容される範囲で多少の隙間が形成されるものであってもよい。
【００１６】
請求項２に記載の発明は、請求項１記載の発光パネルにおいて、前記複数の反射体は、支持片が反射部の側辺よりも内側に設けられ、それぞれが同形状に形成されていることを特徴とする。本発明によれば、反射体を複数使用する際の光漏れを、より確実に防止することが可能な発光パネルを構成することができる。
【００１７】
請求項３に記載の照明器具の発明は、請求項１または２記載の発光パネルと；発光パネルを配設した器具本体と；発光パネルを点灯する点灯装置と；を具備していることを特徴とする。本発明によれば、発光パネルを複数使用して器具本体を構成する際に、光漏れを防止することが可能な照明器具を構成することができる。
【００１８】
本発明において、照明器具は、複数の発光パネルを組み合わせて住宅用など一般照明用の小型の照明装置を構成しても、長尺なオフィス等、施設・業務用の比較的長い大きな照明器具を構成するようにしてもよい。また、１枚の発光パネルを用いて構成するようにしてもよい。器具本体は、発光パネルを内周側に配設する本体枠で構成し、この本体枠を内側側に配設する支持枠を介して天井等の被設置部に設置されるものであっても、本体枠や支持枠に分離した構成ではなく、単品で構成した本体ケースなどで構成されたものであってもよい。
【００１９】
器具本体は、熱伝導性の良好な鋼板、ステンレス、アルミニウム等の金属で構成されたものでも、例えば、ＰＢＴ（ポリブチレンテレフタレート）などの耐熱性、耐候性で、電気絶縁性を有する合成樹脂で構成されたものであってもよい。
【００２０】
点灯装置は、例えば、交流電圧１００Ｖを直流電圧２４Ｖに変換して発光ダイオードチップに供給する点灯回路で構成され、器具本体に設けられることが好ましいが、別置きで天井裏などに設置されるものであってもよい。また、調光機能を有していてもよい。
【発明の効果】
【００２１】
請求項１記載の発明によれば、反射体を複数使用する際の光漏れを防止することが可能な発光パネルを提供することができる。
【００２２】
請求項２記載の発明によれば、反射体を複数使用する際の光漏れを、より確実に防止することが可能な発光パネルを構成することができる。
【００２３】
請求項３記載の発明によれば、複数の発光パネルを使用して器具本体を構成する際の光漏れを防止することが可能な照明器具を提供することができる。
【発明を実施するための最良の形態】
【００２４】
以下、本発明に係る発光パネルおよび照明器具の実施形態について、図に従い説明する。
【実施例１】
【００２５】
図１に示すように、本実施例は、天井埋込形の平板状で矩形状、本実施例では正方形をなすパネル形の照明器具に使用する発光パネルを構成したものであり、発光パネル１０は、発光素子１１を配設した基体１１ａ、発光素子の光を反射させる反射体１１ｃで構成する。本実施例における反射部Ｒは、４枚の反射体１１ｃで構成する。
【００２６】
発光素子１１は、発光ダイオード（以下「ＬＥＤ」と称す）と蛍光体で構成する。本実施例では青色のＬＥＤチップとこのＬＥＤチップにより励起される黄色蛍光体で構成されて高輝度、高出力の白色の光を発光する。上記に構成されたＬＥＤ１１は、正方形をなす基体１１ａに配設される。基体１１ａは、正方形の４枚の回路基板１１ａ１、４枚の回路基板を支持する大きさの基板を構成する正方形の放熱板１１ｊ、回路基板と放熱板との間に介在する正方形の電気絶縁板１１ａ２からなる。
【００２７】
４枚の各回路基板１１ａ１は、ＬＥＤチップ１１を配設するための部材で、ガラスエポキシやアルミニウム基板で構成され正方形をなす平板状に形成される。各回路基板の裏面には銅箔からなる配線パターンが形成され、この配線パターンに沿って表面上にＬＥＤチップが配設される。各ＬＥＤチップ１１は、１枚の回路基板に対して、縦に４個、横に４個、計１６個がマトリックス状に配設されてパネル状の発光部が構成される。なお、図１（ａ）は、上記構成のパネル状の発光部が正方形になるように４枚組み合わされて、本実施例の発光パネル１０を構成したものである。
【００２８】
基板を構成する正方形の放熱板１１ｊは、熱伝導性の良好な鋼板やアルミニウム等の金属、本実施例では鋼板からなり、上記に構成された４枚の正方形の回路基板１１ａ１が、正方形の平板状をなすように並設される大きさの正方形をなす形状に構成し、対向する各辺（四辺）に立上り片１１ｋを一体に形成する（図２（ａ））。電気絶縁板１１ａ２は、耐熱性および電気絶縁性を有するシリコーン樹脂やエポキシ樹脂等で構成され、放熱板１１ｊと同一の寸法を有する正方形の絶縁シートで構成する。
【００２９】
回路基板１１ａ１には、ＬＥＤ１１を配設した表面側に反射体１１ｃを設け、この反射体１１ｃを４つ１組で反射部Ｒを形成する。すなわち、４枚の各反射体１１ｃは、所望の配光が得られるように同様に光学設計されたもので、耐候性、耐熱性および電気絶縁性を有する合成樹脂、本実施例では、白色のＰＢＴ（ポリブチレンテレフタレート）により、１枚の回路基板１１ａ１と同一寸法の正方形の部材として構成される。また表面の外観がピラミッド形をなし、図１に示すように、横断面が正方形状の「すり鉢状」の凹部１１ｄをなし、その底部の開口１１ｅの中心に、上記に配列された各ＬＥＤ１１が位置し、そのＬＥＤチップの周囲を囲むようにして配設される。
【００３０】
反射体１１ｃには、ＬＥＤ１１からの光を外方へ放射するための正方形の開口部１１ｆが形成され、ＰＢＴにより各ＬＥＤ１１に対応した１６個の個別の反射体が一体に樹脂成形されることにより、傾斜するすり鉢の裏面によって、ピラミッド形に連続する反射体１１ｃの谷間に、断面が略三角形状をなす空洞部１１ｇが構成される。また、反射体１１ｃは、ＬＥＤ１１の中心を軸とした回転対称となる配光を得るために、正方形をなす「すり鉢状」の凹部１１ｄの傾斜した内面を反射面１１ｈとして構成する。この反射面１１ｈは各ＬＥＤ１１の周囲を覆い正方形の開口部１１ｆに向かって拡開して傾斜する反射面として構成され、その結果傾斜する裏面に必然的に空洞部１１ｇが形成される。この空洞部は、反射体１１ｃと回路基板１１ａ１の一辺に沿って長く形成される。また、この反射面にはアルミニウムや銀などを蒸着して鏡面加工を施してもよい。
【００３１】
また、反射面１１ｈの裏面に形成された空洞部１１ｇの１箇所の角部１１ｇ１に、角部から伸びる側辺１１ｇ２から外方へ突出しない状態で垂下する支持片１１ｇ３を一体に形成する。この支持片は、１／４形状の円柱をなす形状に構成し、後述するように、４枚の反射体１１ｃを略平板状をなして正方形の基体１１ａに配設する場合、支持片１１ｇ３を形成した略平板状の４枚の反射体１１ｃは、互いの支持片１１ｇ３が対向配置されるとともに、各支持片が設けられた角部から伸びる側辺１１ｇ２が近接して対向配置されるように前記基体１１ａに略平板状をなして配設されて反射部Ｒを構成する。また、この際、隣接する反射体１１ｃの支持片１１ｇ３が接するすように角部１１ｇ１を位置させ、それぞれ接した４本の支持片１１ｇ３がなす形状が円筒状をなすようにする（図１（ｃ）、図２（ｂ））。
【００３２】
上記に構成された１６個のＬＥＤ１１を配設した正方形の回路基板１１ａおよびピラミッド形の１６個の反射面１１ｈを有する正方形の反射体１１ｃからなるパネル状の発光部は、この４枚のパネル状の発光部が使用されてより大きな正方形の発光パネル１０が構成される（図１（ａ））。すなわち、正方形の基板１１ａおよび反射体１１ｃが、縦に２枚、横に２枚、計４枚が、上述した基板となる放熱板１１ｊに配置される。
【００３３】
先ず、上記放熱板１１ｊに対し、４枚の回路基板１１ａ１を、４辺に形成された立上り片１１ｋで位置決めにしながら載置する。さらに、４枚の反射体１１ｃを隣接する反射体１１ｃの支持片１１ｇ３が接するように角部１１ｇ１を位置させる。これにより、４本の１／４円柱の支持片１１ｇ３がそれぞれ接し、全体の形状が円筒状になる。この状態で、固定手段、本実施例では固定リング１１ｇ４を、円筒状をなす支持片の下方から嵌め込み４本の支持片を束ねるようにして強固に固定する（図２）。固定リング１１ｇ４は、本発明の固定手段を構成するもので、ＰＢＴからなる合成樹脂で一体にリング状に形成する。
【００３４】
これにより、４枚の反射体１１ｃは、その中央部で固定リング１１ｇ４により強固に連結されてそれぞれが固定され、４枚の各反射体１１ｃの接合面Ｓが密着して各反射体１１ｃの間に隙間が生じることなく１枚の反射部Ｒとして組み立てられる。この際、支持片１１ｇ３は、反射部Ｒの側辺よりも内側に設けられ、裏面の角部の側辺１１ｇ２から外方へ突出しない状態で垂下するように構成されているので、反射体１１ｃ同士の接合面Ｓに不要な突出部分が形成されることがないので隙間なく確実に接合される。
【００３５】
上記により１枚に組み立てられた反射部Ｒを、４枚の回路基板１１ａ１の上面に、放熱板１１ｊの四辺に形成された立上り片１１ｋで位置決めにしながら載置して放熱板１１ｊの裏面から、回路基板１１ａ１と共にネジ等で固定する。なお、シリコーン樹脂やエポキシ樹脂からなる耐熱性および電気絶縁性を有する接着剤で固着してもよい。
【００３６】
これにより、光源としてＬＥＤを配設し平板状で正方形をなす大きな発光パネル１０が構成される。なお、回路基板１１ａ１の裏面側と放熱板１１ｊとの間に正方形の絶縁シートからなる電気絶縁板１１ａ２を介在させて、回路基板１１ａ１の配線パターンと鋼板からなる放熱板１１ｊの電気絶縁を図る。また、各１６個のＬＥＤ１１は、裏面側の配線パターンにより直列に接続され、さらに４枚の回路基板１１ａ１にそれぞれ配設された１６個×４枚＝６４個のＬＥＤは、リード線（図示せず）によりそれぞれ直列に接続される。
【００３７】
上記に構成された発光パネル１０は、天井埋込形の平板状で矩形状、本実施例では正方形をなすパネル形の照明器具に使用される。照明器具Ａは、上記に構成された発光パネル１０、発光パネルを配設した器具本体Ｂ、発光パネルを点灯する点灯装置１７で構成し、器具本体Ｂは、本体枠１４と支持枠１６で構成する。
【００３８】
先ず、本体枠１４は、図３（ａ）、図４（ａ）に示すように、熱伝導性の良好な金属、本実施例では白色に塗装したアルミニウムで正方形の枠体１４ａを一体に構成する。枠体の寸法は、枠内に上記構成の正方形の発光パネル１０が内周側に配設され支持される大きさに構成し、発光パネルをその枠内に挿入することによって発光パネルと共に正方形をなす照明器具Ａの器具本体Ｂを構成する。
【００３９】
また、本体枠１４には、枠体１４ａの外周に、外方に向けて突出する飾り縁となる鍔部１４ｂを、四辺全てに一体に形成する。この鍔部１４ｂの内、一辺の鍔部に鉤状に突出する係止片部１４ｄを、枠体１４ａの一辺に沿って長く一体に形成する。
【００４０】
なお、図３（ａ）中１８は、発光パネル１０の前面に、ＬＥＤ１１や反射体１１ｃを覆うように設けられた透光性を有する乳白色の半透明な合成樹脂からなる薄い正方形をなす透光板、１９は格子状に構成された正方形の制光体である。これら透光板１８および制光体１９は、正方形の発光パネル１０と共に、本体枠１４の枠体１４ａ内に挿入され本体枠の鍔部１４ｎの内面に、制光体１９、透光板１８、さらに発光パネル１０を順に重ねて、押さえ部材となる鋼線のワイヤー３０ａからなる支持部材３０により押さえ付けて支持する。支持部材３０は、放熱板１１ｊの裏面側に形成された３個の小孔からなる位置決め手段３２で所定の位置に固定される。
【００４１】
また、上記に構成された本体枠１４には、前記係止片部１４ｄを形成した辺と対向する辺に、後述する支持枠１６に本体枠１４を係合させて支持する係合部１４ｅを形成する。係合部は図４（ｂ）（ｃ）に示すように、止め具１４ｅ１と軸受部１４ｅ２からなり、止め具は、一端にマイナス溝を形成したネジ頭１４ｅ３と、軸部の中間部に軸方向と直交する方向に突出させた短い凸部１４ｅ４と長いストッパー片１４ｅ５を一体に形成した金属棒で構成する。軸受部１４ｅ２は、本体枠１４の側板１４ｋに円筒状の軸受部１４ｅ２を一体に形成し、この軸受部を構成する円筒部に止め具の凸部１４ｅ４が嵌合する小孔１４ｅ６を形成する。
【００４２】
上記に構成された止め具１４ｅ１の金属棒を本体枠１４の鍔部１４ｂに形成された貫通孔１４ｍを介して軸受部１４ｅ２に回動ができるように挿入する。これにより、ネジ頭１４ｅ３を回動することにより、ストッパー片１４ｅ５が本体枠１４の側面１４ｋから突出して、後述する支持枠１６の内方の鍔部１６ｂに内面から係合させることができる。このとき、ストッパー片１４ｅ５が突出して係合した状態で止め具１４ｅ１の凸部１４ｅ４が同時に回動する。この回動により軸受部１４ｅ２が樹脂の弾性を利用して撓みながら凸部１４ｅ４が円筒体の小孔１４ｅ６に嵌合して金属棒の回動が規制されロックされる。
【００４３】
次に、支持枠１６は、天井等の被設置部に設置されるもので、熱伝導性の良好な金属、本実施例では、本体枠１４と同様に白色に塗装したアルミニウムで正方形の枠体１６ａを一体に構成する。枠体１６ａの寸法は、枠内に上記構成の正方形の本体枠１４を内周側に配設して内包できる大きさに構成する。支持枠１６には、枠体１６ａの内周に、内方に向けて突出する鍔部１６ｂが一体に形成され、この鍔部１６ｂの先端部に段部１６ｃ（図５（ａ））を一体に形成して、図中上方に開放する断面が略Ｕ字状の溝からなる係止受部１６ｄを、枠体１６ａの辺に沿って長く一体に形成する。この係止受部１６ｄは、正方形をなす支持枠１６の各辺、すなわち、四辺に全体に形成する。さらに、枠体１６ａの外方に向けて突出する飾り縁となる鍔部１６ｅを一体に形成する。
【００４４】
上記係止受部１６ｄの溝には、上述した本体枠１４の係止片部１４ｄが嵌合され、この係止片部１４ｄと係止受部１６ｄにより本体枠１４が支持枠１６の一辺に対し回動、すなわち、開閉がなされるときのヒンジ部Ｃとしての作用（図５（ａ））と、本体枠１４が開放されたときに支持枠１６から外れないように係止する外れ防止の作用（図５（ｂ））を行う。なお、係止受部１６ｄは正方形をなす支持枠１６の四辺に形成されているので、どの辺の係止受部に対しても正方形の本体枠１４の係止片部１４ｄを係止させることができる。また、支持枠１６の対向する辺に位置する側板１６ｆに、鋼板からなる受片１６ｇを固着し、この受片の中央部にネジ孔１６ｈを形成する（図６（ｂ））。
【００４５】
点灯装置１７は、例えば、交流電圧１００Ｖを直流電圧２４Ｖに変換してＬＥＤ１１に供給する点灯回路（図示せず）で構成され、図６（ａ）に示すように、鋼板で構成された長い直方体からなるケース部材１７ａに点灯回路が内蔵され配設される。ケース部材１７ａの両端部に、側板１７ｃから上面板１７ｄにわたって支持孔が形成される。この支持孔は側板１７ｃに横長の大きな案内孔１７ｅが形成され、この案内孔に連続して上面板１７ｄに縦長の長孔１７ｆが形成されている。この案内孔１７ｅは後述する吊りボルト２０のナット２１が挿入でき、長孔１７ｆはボルト２０を挿入できるがナット２１は挿入できない寸法に形成する。また、ケース部材１７ａの両側板１７ｃには、案内孔１７ｅの下方に位置して取り付け用のネジ孔１７ｇを形成する。
【００４６】
点灯装置を内蔵し配設したケース部材１７ａは支持枠１６に支持できるように構成される。すなわち、ケース部材１７ａを支持枠１６の対向する辺に位置する側板１６ｆに跨らせるようにして配置し、両方の側板１６ｆに固着された受片１６ｇのネジ孔１６ｈに、ケース部材１７ａの両側板１７ｃのネジ孔１７ｇを合致させてネジで固着できるように構成する。また、ケース部材１７ａの一方の側板１７ｃからは、点灯回路の出力端に接続された端子部１７ｊが引き出され、発光パネル１０の入力端子に接続された発光パネル側リード線ｗの先端に取付けられたコネクタ１２ｃが接続される（図７（ｂ））。この場合、ケース部材１７ａは支持枠１６へ取り付ける際に、端子部１７ｊが引き出された側板１７ｃが、換言すれば、端子部１７ｊが支持枠１６の溝状の係止受部１６ｄ近傍に面するように位置させて取り付ける。
【００４７】
上記に構成された発光パネル１０、本体枠１４、支持枠１６および点灯装置１７からなる照明器具Ａは、次のようにして、被設置部である天井面Ｘに設置されて使用される（図７）。なお、天井Ｘには、予め支持枠１６が挿入できる大きさの正方形の開口ｈを形成し、天井裏の支持材Ｘ１に２本の吊りボルト２０を設置しておく。２本の吊りボルトは、点灯装置１７のケース部材１７ａの両端部に形成した支持孔の間隔寸法に大体合わせた間隔で設置し、それぞれに２個ずつのナット２１、２１を装着しておく(図６（ａ）)。
【００４８】
先ず、支持枠１６に点灯装置１７を、図６（ａ）に示すように予め支持しておく。次に、図７（ａ）に示すように、点灯装置のケース部材１７ａを支持した支持枠１６を、ケース部材１７ａを上方にして天井Ｘの開口ｈから天井内に挿入し、ケース部材１７ａの片方の支持孔、本実施例では図６（ａ）中左方の支持孔の案内孔１７ｅに、左方の吊りボルト２０のナット２１を挿入する。この際２個のナット２１の内、下方のナット２１を案内孔１７ｅに挿入し、ボルト２０を長孔１７ｆに挿通させる。上方のナット２１はケース部材１７ａの上面板１７ｄに面するようにしておく。同様に、右方の吊りボルト２０を撓ませて、下のナット２１を案内孔１７ｅ内に挿入し、さらにボルト２０を長孔１７ｆに挿通させる。
【００４９】
この状態で、支持枠１６を開口ｈに合致させる。この際、ボルト２０をケース部材１７ａの長孔１７ｆ内で左右にスライドさせて支持枠１６の飾り縁となる鍔部１６ｅで開口ｈの周囲のギザギザ面が隠れるようにする。この状態で支持枠１６の天井Ｘに対する取付位置が決まる。この状態のまま、各吊りボルト２０の２個のナット２１をそれぞれ締め付けて、ケース部材１７ａを２本の吊りボルト２０に固着する。これにより、支持枠１６が点灯装置のケース部材１７ａを介して天井裏の支持材Ｘ１に固定される(図７（ａ）)。
【００５０】
この際、点灯装置１７は、支持枠１６に跨った状態に固定されるので、点灯装置の両側には開口部ａが形成され（図６（ａ））、この開口部から天井裏の状況および吊りボルト２０やナット２１などの状態を見ながら行う。また、天井面Ｘへの設置作業は、支持枠１６には発光パネル１０等と本体枠１４が一体化された器具本体Ｂは取り付けられていない状態で、合成樹脂からなる軽い支持枠１６のみを持ち上げて設置する。
【００５１】
次に、本体枠１４を持ち上げて本体枠１４の係止片部１４ｄを支持枠１６の内周に形成された係止受部１６ｄの溝に嵌合する。この際、係止受部１６ｄは正方形をなす支持枠１６の四辺に形成されているので、どの辺の係止受部１６ｄに対しても本体枠１４の係止片部１４ｄを係止させることができるので、天井近辺の障害物等の状況をみて、どの辺の係止受部に係止させるかを選定して決める。上記により、本体枠１４が支持枠１６の一辺に吊り下げられた状態で支持される(図７（ｂ）)。
【００５２】
次に、吊り下げられた状態の本体枠１４の枠体１４ａ内に、制光体１９、透光板１８、さらに上述した基体１１ａ、反射体１１ｃおよび放熱板１１ｊからなり各ＬＥＤ１１が配線接続された発光パネル１０を順に挿入し、制光体１９を本体枠の鍔部１４ｎの内面に係止させる。次いで、支持部材３０のワイヤー３０ａを回動して位置決め手段である小孔３２に先端を挿入して係合し、ワイヤーの弾性力で発光パネル１０を本体枠の鍔部１２ｎ内面に押え付けて係止させ、発光パネルを本体枠１４の内周側に配設した状態に支持する（図７（ｂ））。この際、点灯装置１７に接続されたリード線を束ねて外側に引き出しておく。
【００５３】
次に、点灯装置１７のケース部材１７ａの一方の側板１７ｃから引き出された端子部１７ｊに発光パネル１０から引き出されたリード線ｗのコネクタ１２ｃを接続する。なお、この際、点灯装置１７と発光パネル１０との配線接続がヒンジ部Ｃ側で行えるため発光パネル側リード線ｗは短いものでよく作業の邪魔にならない。これら作業は、本体枠１４が、支持枠１６から出され垂下された状態で行うことができ、見やすくなって施工性がよくなる。
【００５４】
上記により、係止片部１４ｄを係止受部１６ｄに係止した状態でヒンジ部Ｃが構成されるので、本体枠１４の係止片部１４ｄを、係止受部１６ｄを軸心として回動させる。すなわち、発光パネル１０等と一体化された本体枠１４を、支持枠１６の一辺に係止した状態で、支持枠１６の中に本体枠１４を挿入するようにして、換言すれば、発光パネル１０で支持枠１６の開口を閉じるように押し上げて回動させる（図７（ｂ）の矢印方向）。
【００５５】
これにより、本体枠１４に係止された側と反対側の辺に設けられた係合部１４ｅが、支持枠１６の鍔部１６ｂに当接する。この状態で、図４（ｂ）（ｃ）に示すように、本体枠１４の表面に露出している止め具１４ｅ１のネジ頭１４ｅ３を、マイナスドライバを使って左右どちらかへ回動させストッパー片１４ｅ５を本体枠１４の側面１４ｋから突出させ、支持枠１６の鍔部１６ｂに内面から係合させる。これにより、本体枠１４の一辺が係止片部１４ｄと支持枠１６の係止受部１６ｄの嵌合により、他の辺が係合部１４ｅで係合されて支持される。この際、止め具１４ｅ１の凸部１４ｅ４が、円筒部の小孔１４ｅ６に嵌合して金属棒の回動が規制され、振動や長期間の使用などでストッパー片１４ｅ５が緩んで回り、支持枠１６の鍔部１６ｂ内面との係合が外れることがなく、発光パネル１０を支持した本体枠１４を確実に支持枠１６に係合させることができ、落下等の虞に対する安全性を保持している。
【００５６】
上記により、発光パネル１０、本体枠１４、支持枠１６および点灯装置１７からなる照明器具１０が天井Ｘに設置される。天井の開口ｈは、支持枠１６の飾り縁となる鍔部１６ｅで覆われ、この鍔部１６ｅと本体枠１４の鍔部１４ｂが面一となって天井面Ｘにフラットな状態で綺麗に設置され外観上もよくなる。
【００５７】
上記に設置された照明器具１０を点灯すると、発光パネル１０のＬＥＤ１１が白色に発光する。ＬＥＤから放射される光は下方および側方に向かって放射され反射体１１ｃの反射面１１ｈで反射され器具直下を含む周辺一帯を照射する広い略円形状の配光をもった照明を行う。同時に、反射面１１ｈで反射された光の一部が器具の側方に向けて放射され、天井面Ｘをより広範囲にわたって照射する。この際、発光パネル１０の４枚の反射体１１ｃは、その中央部で固定リング１１ｇ４により強固に連結されてそれぞれが固定され、４枚の各反射体１１ｃの接合面Ｓが密着して各反射体の間に隙間が生じることなく構成されており、ＬＥＤ１１からの光が各反射体の接合面Ｓから漏れることがない。
【００５８】
また、点灯時に各ＬＥＤ１１から発生する熱は、基体１１ａから鋼板製の放熱板１１ｊを介して外部に放熱される。また、点灯装置１７の熱も鋼板からなるケース部材１７ａやアルミニウムからなる本体枠１４を介して放熱される。これにより、ＬＥＤの発光効率の低下を防止することができ、温度上昇に伴う光束の低下を防止することができると共に、ＬＥＤの長寿命化を図ることが可能となる。また点灯装置１７の回路部品の信頼性も高めることができる。
【００５９】
次に、光源となるＬＥＤ等のメンテナンスなどで発光パネル１０を取り出す場合には、次のようにして取り外す。先ず、図４（ｂ）（ｃ）に示すように、本体枠１４の表面に露出している止め具１４ｅ１のネジ頭１４ｅ３を、マイナスドライバを使って左右どちらかへ回動させストッパー片１４ｅ５と支持枠１６の鍔部１６ｂ内面との係合を解除する。この際、止め具１４ｅ１の凸部１４ｅ４が同時に回動する。この回動により軸受部１４ｅ２が樹脂の弾性を利用して撓みながら凸部１４ｅ４が円筒体の小孔１４ｅ６から外れてロックが解除される。
【００６０】
この状態で、本体枠１４の係止片部１４ｄを、支持枠１６の係止受部１６ｄを軸心として回動させ、支持枠１６の開口から本体枠１４を開くようにして回動させる（図５（ａ）→（ｂ））。これにより、係止受部１６ｄの溝に本体枠１４の鉤状の係止片部１４ｄが係止する。これにより、本体枠１４が開放された状態で支持枠１６から外れないように係止され吊り下げられた状態になる（図７（ｂ））。
【００６１】
この状態で、発光パネル１０を本体枠１４に支持している支持部材３０のワイヤー３０ａを小孔３２から引き出し、本体枠１４の枠体１４ａ内から出るように回動させて発光パネルの上面から外し、発光パネルを本体枠１４から引き出す。また、本体枠１４と一緒に発光パネル１０を取り外す場合には、図５（ｃ）に示すように、係止受部１６ｄの溝と本体枠１４の鉤状の係止片部１４ｄとが係止した状態から、さらに開く方向に回動させて鉤状の係止片部１４ｄと係止受部１６ｄの溝との係止状態を解除すれば、本体枠１４を発光パネルと共に、すなわち、器具本体Ｂを支持枠１６から取り外すことができる。
【００６２】
また、上記により、本体枠１４から取り外した発光パネル１０は、次のようにして反射体１１ｃを回路基板１１ａ１から取り外すことができる。先ず、反射体１１ｃと回路基板１１ａ１とを放熱板１１ｊに固定しているネジを外す。これにより、回路基板１１ａ１から４枚の反射体１１ｃを一緒に外すことができ、嵌め込まれていた固定リング１１ｇ４を、円筒状をなしている４本の支持片１１ｇ３から外せば、反射体１１ｃは１枚ずつに分離され必要な枚数の反射体１１ｃを交換するなどの作業を行うことができる。
【００６３】
以上、本実施例によれば、反射面１１ｈの裏面に形成された空洞部１１ｇの1箇所の角部１１ｇ１に、角部から伸びる側辺１１ｇ２から外方へ突出しない状態で垂下する支持片１１ｇ３を一体に形成し、この支持片は、１／４形状の円柱をなす形状に構成したので、４枚の反射体１１ｃを略平板状をなして正方形の基体１１ａに配設する場合、支持片１１ｇ３を形成した略平板状の４枚の反射体１１ｃは、互いの支持片１１ｇ３が対向配置されるとともに、各支持片が設けられた角部から伸びる側辺１１ｇ２が近接して対向配置されるように前記基体１１ａに略平板状をなして配設されて反射部Ｒを構成することができる。
【００６４】
また、この際、隣接する反射体１１ｃの支持片１１ｇ３が接するすように角部１１ｇ１を位置させ、それぞれ接した４本の支持片１１ｇ３がなす形状が円筒状をなすようにすることができる。これにより、発光パネル１０の４枚の反射体１１ｃは、その中央部で固定リング１１ｇ４により強固に連結されてそれぞれが固定され、４枚の各反射体１１ｃの接合面Ｓが密着して各反射体の間に隙間が生じることなく構成され、ＬＥＤ１１からの光が各反射体の接合面Ｓから漏れることがない。また、非点灯時においても反射体表面に隙間が見えることがなく外観上も優れた発光パネルおよび照明器具を提供することができる。また、支持片１１ｇ３は、反射部Ｒの側辺よりも内側に設けられ、裏面の角部の側辺１１ｇ２から外方へ突出しない状態で垂下するように構成したので、反射体同士の接合面Ｓに余分な突出部分が形成されることがなく、より一層隙間なく密着して接合させることができる。
【００６５】
また、反射体１１ｃには、裏面の１箇所の角部１１ｇ１に支持片１１ｇ３を形成すればよく構成が簡素化されると共に、組立に際しては、４枚の反射体の向きを変えて各支持片１１ｇ３が接するように位置させればよく施工性を向上させることができる。また、反射体１１ｃは４枚全てを同じ形状に構成すればよく、部品の共通化を図ることができコスト的にも有利になる。
【００６６】
また、本実施例によれば、発光パネル１０における光漏れおよび組立時の施工性の向上に合わせて、天井等の被設置部への施工を一段と容易にすることができる。すなわち、一辺に鉤状に突出する係止片部１４ｄを形成した本体枠１４と、正方形をなす各辺に本体枠１４の係止片部１４ｄを嵌合する溝状の係止受部１６ｄを形成した支持枠１６を構成したので、軽い支持枠１６のみを天井Ｘに先ず設置することができ、枠体１６ａをなし開放した支持枠１６から天井裏の状況や吊りボルト２０やナット２１などの状態を見ながら行うことができ施工がし易くなる。
【００６７】
また、支持枠１６を先に天井Ｘに設置し、本体枠１４の係止片部１４ｄを、既に設置された支持枠１６の係止受部１６ｄに嵌合し本体枠１４を支持枠１６に取り付け、その状態で本体枠１４に発光パネル１０を取り付けるようにすることができ、天井面Ｘへの設置作業は、支持枠１６には発光パネル１０と本体枠１４が一体化された器具本体Ｂは取り付けられていない状態で、合成樹脂からなる軽い支持枠１６のみを持ち上げて設置すればよく、従来のように、点灯装置など比較的重いものを支えながらの作業となることがなく施工が一層し易くなり、これら作用により天井等の被設置部への施工性を一層容易にすることができる。特に、光源としてＬＥＤを採用し、軽量化を図った照明器具において、本体の軽量化と合わせて、施工性に一層優れた照明器具を提供することができる。
【００６８】
また、支持枠１６の係止受部１６ｄは正方形をなす支持枠１６の四辺に形成されているので、どの辺の係止受部に対しても正方形の本体枠１４の係止片部１４ｄを係止させることができるので、天井近辺の障害物等の状況をみて、本体枠１４が支持枠１６に対して開閉ができるかなどを判断しながら、どの辺の係止受部１６ｄに本体枠１４の係止片部１４ｄを嵌合させるかを選定して決めることができ、さらに、施工性に富んだ照明器具を提供することができる。同時に設置後のメンテナンス等で器具本体Ｂが天井面Ｘの障害物などに当たり取り外せなくなるようなことを防ぐことができる。また、係止片部１４ｄおよび係止受部１６ｄは、一辺に沿って長く形成されており、両者を確実に嵌合させることができるので、確実なヒンジ部Ｃを構成することができ、本体枠１４の開閉の際の操作性もよく、またガタツキ等が生じない。また、長い係止片部１４ｄおよび係止受部１６ｄにより本体枠１４と支持枠１６との隙間を隠すことができ外観的にも良好になる。
【００６９】
以上、本実施例において、各反射体１１ｃの中央部を連結し、側辺１１ｇ２の外方の接合部は、放熱板１１ｊの４辺に形成された立上り片１１ｋで位置決めをして装着するようにして隙間が生じないように構成したが、立ち上り片１１ｋによらずに、図８（ａ）に示すように、各側片１１ｇ２の外方に位置する接合部に、１／４円柱の支持片１１ｇ３を形成し、半円形状の固定リング１１ｇ４´を嵌め込んで固定するようにしてもよい。
【００７０】
また、図８（ｂ）に示すように、２枚の反射体１１ｃを組み合わせて発光パネル１０を構成するようにしてもよい。この場合、上記図８（ａ）と同様に、外方に位置する接合部に１／４円柱の支持片１１ｇ３を形成し、半円形状の固定リング１１ｇ４´を嵌め込んで固定する。また、図８（ｃ）に示すように、扇状の反射体１１ｃ´を３枚使用して円形の発光パネル１０を構成してもよい。この場合中央部は１／３円柱の支持片１１ｇ３´と円形の固定リング１１ｇ４で固定する。３箇所の側片１１ｇ２の外方に位置する接合部は、１／４円柱の支持片１１ｇ３と半円形の固定リング１１ｇ４´で固定する。
【００７１】
また、４本の支持片がなす形状を円筒状に形成したが、図８（ｄ）に示すように、４角柱をなすように形成し、円形の固定リング１１ｇ４若しくは４角形の固定リングで固定してもよい。さらに、図８（ｅ）に示すように、円筒に隙間ｇが形成される円筒上に形成してもよい。また、図８（ｆ）に示すように、４本の支持片１１ｂ３がなす円筒は下方に傾斜するテーパ面をなすように形成し、円形の固定リング１１ｇ４もテーパ形状の孔を有するように形成して、両者をテーパ結合させ容易に外れないようにしもよい。また、固定リング１１ｇ４は、図８（ｇ）に示すように、金属または合成樹脂でＵ字形に形成したバネ部材で構成し、より強固に固定させるようにしてもよい。
【００７２】
また、照明器具Ａにおける支持枠１６の係止受部１６ｄは、支持枠１６の四辺全てに形成したが、係合部１４ｅである止め具１４ｅ１と対向する辺にのみ形成するようにしてもよい。係止受部１６ｄおよび係止片部１４ｄを、辺に沿って長く形成したが、いずれか一方、若しくは両方を辺の長さより短く形成するようにしてもよい。本体枠１４および支持枠１６は、熱伝導性の良好な金属で構成したが、耐熱性、耐候性で電気絶縁性を有する合成樹脂、例えば、ＰＢＴ（ポリブチレンテレフタレート）などで構成してもよい。また、本発明は、天井などの被設置面に埋め込まれて設置される照明器具を構成したが、天井に直付けされて設置される照明器具であってもよい。以上、本発明の好適な実施形態を説明したが、本発明は上述の実施例に限定されることなく、本発明の要旨を逸脱しない範囲内において、種々の設計変更を行うことができる。
【図面の簡単な説明】
【００７３】
【図１】本発明の第１実施形態に係る発光パネルを示し、（ａ）は正面図、（ｂ）は反射体の一部を切り欠き（ａ）のＡ−Ａ線に沿って断面した図、（ｃ）は支持片を下方から見た下面図。
【図２】同じく発光パネルを示し、（ａ）は図１（ａ）のＢ−Ｂ線に沿う断面図、（ｂ）は支持片を下方から見た斜視図、（ｃ）は固定手段と支持片を示す斜視図。
【図３】同じく照明器具を示し、（ａ）は縦断面図、（ｂ）は支持部材の側面図、（ｃ）は位置決め手段の上面図。
【図４】同じく照明器具を示し、（ａ）は組立手順を示す斜視図、（ｂ）は係合部の縦断面図、（ｃ）は（ｂ）のＡ−Ａ線に沿う断面図。
【図５】同じく照明器具の係止片部および係止受部を拡大して示し、（ａ）は嵌合した状態を示す断面図、（ｂ）は係止して吊り下げた状態を示す断面図、（ｃ）は取り外す状態を示す断面図。
【図６】同じく照明器具の点灯装置と支持枠を示し、（ａ）は組立状態を示す斜視図、（ｂ）は支持枠の側板部分を示す斜視図。
【図７】同じく照明器具を天井に設置する場合の施工手順を示し、（ａ）は支持枠を天井に設置した状態を示す断面図、（ｂ）は吊り下げられた本体枠に発光パネル等を支持した状態を示す断面図、（ｃ）は発光パネル等を一体化した本体枠を支持枠に支持した状態を示す断面図。
【図８】同じく発光パネルの変形例を示し、（ａ）は第１の変形例を、一部を切り欠いて示す正面図、（ｂ）は第２の変形例を、一部を切り欠いて示す正面図、（ｃ）は第３の変形例を、一部を切り欠いて示す正面図、（ｄ）は支持片の第１の変形例を示す斜視図、（ｅ）は支持片の第２の変形例を示す斜視図、（ｆ）は支持片の第３の変形例を示し、図１（ｂ）に相当する断面図、（ｇ）は固定手段の変形例を示す斜視図。
【符号の説明】
【００７４】
１０  発光パネル
１１  発光素子
１１ａ  基体
１１ｃ  反射体
１１ｈ  反射面
Ｒ      反射部
１１ｇ１  角部
１１ｇ２  側辺
１１ｇ３  支持片
１１ｇ４  固定手段
Ａ      照明器具
Ｂ      器具本体
【図１】
2010157403.tif 000003
【図２】
2010157403.tif 000004
【図３】
2010157403.tif 000005
【図４】
2010157403.tif 000006
【図５】
2010157403.tif 000007
【図６】
2010157403.tif 000008
【図７】
2010157403.tif 000009
【図８】
2010157403.tif 000010